(57)【要約】【課題】コンクリート梁用型枠では、型枠の組み立て及び解体に熟練した作業員が当たらないと、梁の垂直や水平を出すのが難しく、また、型枠保持部材が、全体として部品点数が多く、管理、組み立て、解体に手間が掛かっていた。【解決手段】一対の側枠２、２とこの側枠２、２に繋げる底枠３を互いに蝶番４にて連結し、側枠２、２及び底枠３は複数の金属製パネル７を連結して構成するものとし、側枠２は底付の溝形板８を介して繋げ、底枠３は両側に突き出る門形板１１を介して繋げて溝形板８を載せるようにし、門形板１１の外側下部に底枠３を構成する二つの金属性パネル７のリブ６を載せる掛止板１２を取り外し自在に設けた【選択図】        図１
2004285727.tif 000002
【特許請求の範囲】
【請求項１】
一対の側枠とこの側枠に繋げる底枠を互いに蝶番にて連結し、側枠及び底枠は複数の金属製パネルを連結して構成するものとし、側枠は底付の溝形板を介して繋げ、底枠は両側に突き出る門形板を介して繋げて溝形板を載せるようにし、門形板の外側下部に底枠を構成する二つの金属性パネルのリブを載せる掛止板を取り外し自在に設けたことを特徴とする梁用コンクリート型枠。
【請求項２】
請求項１記載の梁用コンクリート型枠に、底枠の門形板に床面からのサポートを介して底枠を床面と平行に支えるようにしたことを特徴とする梁用コンクリート型枠。
【発明の詳細な説明】
【０００１】
【発明の属する技術分野】
本発明は、鉄骨鉄筋コンクリート構造物或いは鉄筋コンクリート構造物において、コンクリート梁を構築する場合に、その外側を覆って建て込み、コンクリート打設硬化後に取り外す、梁用コンクリート型枠に関するものである。
【０００２】
【従来の技術】
従来は、梁用コンクリート型枠は、構築すべき梁の外側を合板或いは金属板により覆うように構成するもので、内部に主筋を、周囲に型枠保持部材（支保工）を配してコンクリート打設硬化後に取り外すものであった。
【０００３】
【発明が解決しようとする課題】
従来のコンクリート梁用型枠では、型枠の組み立て及び解体に熟練した作業員が当たらないと、梁の垂直や水平を出すのが難しく、特に組み立て解体に際してクレーンなどで吊り降ろす大型の型枠の取り扱いに慎重を期さないと事故に直結することになっていた。
また型枠保持部材が、全体として部品点数が多く、管理、組み立て、解体の手間がかかるものであった。
【０００４】
本発明は、以上のような従来例の課題を解決し、梁用コンクリート型枠を一体化して組み立て及び解体が容易に行えるようにすることを目的に開発したものである。
部品点数を大幅に減らし作業効率を向上させ、しかも、精度を良くして、仕上がりを良好にすることを目的とするのである。
【０００５】
【課題を解決するための手段】
上述の目的を達成するために本発明の請求項１の梁用コンクリート型枠は、一対の側枠とこの側枠に繋げる底枠を互いに蝶番にて連結し、側枠及び底枠は複数の金属製パネルを連結して構成するものとし、側枠は底付の溝形板を介して繋げ、底枠は両側に突き出る門形板を介して繋げて溝形板を載せるようにし、門形板の外側下部に底枠を構成する二つの金属性パネルのリブを載せる掛止板を取り外し自在に設け、門形板には床面からのサポートを介して底枠を床面と平行に支えるようにしたことを特徴とするものである。
【０００６】
本発明の請求項２記載の梁用コンクリート型枠は、前記の構成に加えて、底枠の門形板に床面からのサポートを介して底枠を床面と平行に支えるようにしたことを特徴とするものである。
【０００７】
【発明の実施の形態】
以下、図面に示す本発明の実施の形態に即して説明する。
図１は、梁用コンクリート型枠１を含む壁面を構成する型枠の斜視図であり、図２は平面図である。
壁面を構成する壁用コンクリート型枠５０は縦長方形及び平面Ｌ形をなし、並列対峙させて構成するものである。
図示の例では、壁用コンクリート型枠５０から梁用コンクリート型枠１に繋がるようにしてあるが、柱用コンリート型枠に繋がるようにしてもよい。
壁用コンクリート型枠５０の、梁用コンクリート型枠１と接合するものは、上部を張り出した逆Ｌ形としてある。５１は壁の開放端を塞ぐ低い壁用コンクリート型枠である。
【０００８】
梁用コンクリート型枠１は、側枠２、２、底枠３とから溝型となるようにするのであるが、側枠２、２と底枠３は夫々蝶番４にて９０度開閉自在に繋げるようにしてある。
側枠２及び底枠３は、面板５及び周縁のリブ６及び周縁のリブ６に内接する補強のための補助リブ６１を備えた複数の金属製パネル７を複数繋げて形成するものである。リブ６には複数の穴６ａを穿って連結できるようにしてある。
【０００９】
側枠２は、複数の金属製パネル７を一方に底付の溝形板８（図示しないがリブ６の穴６ａに対応する穴を穿っておく）を介在させてボルトナットにて連結し横方向に長くなるように繋げる。
底枠３も同様に門形板１１を介在させてボルトナットにて繋げるものとする。
なお、ボルトナットに代えて、穴６ａに差し込むクランクピンと、クランクピンに穿ったスリット穴にたたき込む楔体とし、効率よく繋げるようにすることが望ましい。
ボルトナットに代えて、介在させる溝形板８及び門形板１１を挟んで金属製パネル７、７を掴んで締めつけるクランプ金具にて繋げるようにしてもよい。
【００１０】
図３に示すように、門形板１１は上板１１ａ及び両側板１１ｂからなり、両側板１１ｂの下端部を内向きにＵ字型に絞った凹溝部１１ｃ、１１ｃを形成し、この凹溝部１１ｃに両側板１１ｂより直角をなす段部１２ａを形成する掛止板１２を嵌め込みボルト１３及びナット１４に取り付けるようにする。段部１２ａには底枠３のリブ６の下端縁を載せ受けるようにする。
なお、１１ｄ、１１ｄはボルトあるいはクランクピンを差し込む穴である。
１５、１５は対峙する側枠２、２を跨ぐように両端を屈曲してなる保持金具で側枠２、２を垂直に保持し、コンクリートを打設したときに側枠２、２が拡がるのを防ぐセパレ−タの作用を備えるものである。
【００１１】
この門形板１１の中央の上板１１ａの裏面と床面の間にはパイプサポート１６を渡して、梁用コンクリート型枠１を床面と平行とし、梁用コンクリート型枠１及び内部に打設するコンクリートの重量を支えるようにする。詳細な図示は省略するがパイプサポート１６は両端部に受座を備え、差し込み式或いはボルト式などで伸縮自在とするもので、コンクリートの重量を支えることになる。
門形板１１は、底枠３を構成する金属製パネル７、７の連結具としての作用と併せて、底枠３を水平に保持し、パイプサポート１６をもって双方の金属性パネル７、７からなる底枠３を一体に支えることになる。
【００１２】
このような構成からなる梁用コンクリート型枠１は予め、底付の溝形板８を介して繋げた一対の側枠２、２と、この側枠２、２に蝶番４にて繋げた複数の底枠３を樋状にし、底枠３、３は両側に突き出る門形板１１を介してボルトナットなどで繋げ溝形板８を載せるようにし、門形板１１に底枠３、３のリブ６を受ける掛止板１２をボルト１３ナット１４にて組み付けるようにする。
図示しない主筋、肋筋を、側面及び底面から囲むように、側枠２、２をクレーンのフックで吊り上げ、上部を張り出した壁用コンクリート型枠５０の張り出し部分に合わせるようにして、接合部をボルトナット或いはクランプ金具などの連結手段にて繋げるようにする。図示の例では一方側の側枠２、２のみを示すが両側を繋げるようにする。
【００１３】
しかる後に、対峙する側枠２、２を跨ぐように保持金具１５、１５を渡す。
そして、パイプサポート１６を床面と門形板１１の内面に渡して、コンクリート型枠１を下から支えるようして梁用コンクリ−ト型枠１の設置は完了することになる。
【００１４】
その後、壁面及び梁を構成するコンクリートを打設して、養生、硬化させるのである。
コンクリートが完全に硬化した後に梁用コンクリート型枠１を解体し取り外すには、図４に示す手順によりなす。図示の例では鉄筋及びコンクリートは省略してある。
一方の側枠２の上部には両端部に吊環を備えた棒体１７を取り付け、クレーンのフックを吊環に掛けて全体が落下しないようにする。
他方の側枠２の金属製パネル７、７を繋いでいる底付の溝形板８を取り外す。この溝形板８を取り外した側枠２の金属製パネル７を底枠３と面一になるように倒す。
底枠３の金属製パネル７を繋ぎ、かつ、底枠３を下面より受けている門形板１１に取り付けている掛止板１２を外し、引き続き底枠３を構成する金属パネル７、７を繋いでいる門形板１１のボルトナットを外してから底枠３を構成する金属パネル７を順次垂直となるよう降ろす。クレーンのフック側の溝形板８は繋げた儘としておく。そして、クレーンで残った梁用コンクリート型枠１を持ち上げて取り外すのである。
パイプサポート１６及び門形板１１は、コンクリ−ト硬化後も梁としての強度が出るまで残しておく。
【００１５】
【発明の効果】
請求項１の発明に係る梁用コンクリート型枠によれば、側枠と底枠を蝶番にて連結しているので、組み立て解体が効率よく行えることになり、仕上がり精度も良くなるのである。
また底枠の一部を構成し、底枠の主たる部分を担う金属製パネルを繋ぐ門形板に両側の金属製パネルのリブを載せる掛止板を設けるようにして、いわば底枠の下端部を受けるバタ材の役割を付与したので、部品点数が少なくなったのである。
【００１６】
請求項２の発明に係る梁用コンクリート型枠によれば、底枠の門形板内に床面からのサポートを介して底枠を床面と平行に支えるようにしたので、サポートの型枠側の受けに門形板を用いるのでサポートを上端部で保持する部材が必要なくなる。
【図面の簡単な説明】
【図１】本発明に係る梁用コンクリート型枠の使用状態の斜視図である。
【図２】本発明に係る梁用コンクリート型枠の使用状態の平面図である。
【図３】本発明に係る梁用コンクリート型枠の底枠を構成する金属製パネル枠を繋ぐ門形板の断面図である。
【図４】本発明に係る梁用コンクリート型枠の解体、取り外す手順を示す概略図である。
【符号の説明】
１  梁用コンクリート型枠
２  側枠
３  底枠
４  蝶番
５  面板
６  リブ
７  金属製パネル
８  溝形板
１１  門形板
１２  掛止板
１３  ボルト
１４  ナット
１５  保持金具
１６  パイプサポート
【図１】
2004285727.tif 000003
【図２】
2004285727.tif 000004
【図３】
2004285727.tif 000005
【図４】
2004285727.tif 000006